(57)【要約】      （修正有）【課題】ユーザが片手で握り易く、かつ良好にスイッチ操作ができる携帯端末を提供する。【解決手段】機器ケース１の一端部として設けられ、ユーザが一方の手の母指Ｆ１を機器ケース１の表面に被せ機器ケース１の脇側から延ばした少なくとも示指Ｆ２と中指Ｆ３とで裏面を支えるような把握態様で、前記一方の手により把握可能なグリップ部１４を備える。グリップ部１４の裏面には、前記把握態様での示指Ｆ２と中指Ｆ３との間に頭頂部１５ａが位置するように、盛上り部１５が設けられる。この盛上り部１５における前記把握態様での示指Ｆ２が位置する指掛領域１７に、被押圧部が露出するように下面トリガーキーが設けられている。従って、機器ケース１をユーザが把握する手をグリップ部１４にフィットさせることができる。また、ユーザが把握する手の示指Ｆ２を盛上り部１５の傾斜面に押し当てた状態で、下面トリガーキーを操作できる。【選択図】図３
2019021212.tif 000002
【特許請求の範囲】
【請求項１】
端末本体の一端部として設けられ、ユーザが一方の手の母指を前記端末本体の第１の面に被せ前記端末本体の脇側から延ばした少なくとも示指と中指とで前記第１の面の裏面に位置する第２の面を支えるような把握態様で、前記一方の手により把握可能なグリップ部を備え、
前記グリップ部のうち前記第２の面には、前記把握態様での前記示指と前記中指との間の位置に頭頂部が位置するように、盛上り部が設けられ、
前記盛上り部における斜面領域であって前記把握態様での前記示指が位置する側の斜面領域に被押圧部が露出するようにスイッチ部が設けられている、
ことを特徴とする携帯端末。
【請求項２】
端末本体の一端部として設けられ、ユーザが一方の手の母指を前記端末本体の第１の面に被せ前記端末本体の脇側から延ばした少なくとも示指と中指とで前記第１の面の裏面に位置する第２の面を支えるような把握態様で、前記一方の手により把握可能なグリップ部と、
前記第２の面側であって前記グリップ部と前記端末本体の他端部との間に設けられたえぐれ部と、
を備え、
前記グリップ部は、前記把握態様のときに前記示指により支えられる位置が前記えぐれ部に向かう斜面領域となるように形成されているとともに、前記斜面領域に被押圧部が露出するようにスイッチ部が設けられている、
ことを特徴とする携帯端末。
【請求項３】
端末本体の一端部として設けられ、ユーザが一方の手の母指を前記端末本体の第１の面に被せ前記端末本体の脇側から延ばした少なくとも示指と中指とで前記第１の面の裏面に位置する第２の面に自然に巻き付くような把握態様で、前記ユーザの手により把握可能なグリップ部を備え、
前記グリップ部のうち前記第２の面は、ユーザが前記グリップ部を前記把握態様で把握した際に、前記母指以外の指が自然な状態で曲がるように、前記第２の面側に向けて凸となる湾曲形状に形成され、
前記湾曲形状に形成された前記グリップ部の前記第２の面には、ユーザが前記グリップ部を前記把握態様で把握した際に、前記ユーザが把握した手の前記示指と前記中指との間の位置に頭頂部が位置するように、盛上り部が設けられ、
前記盛上り部における斜面領域であって前記把握態様での前記示指が位置する側の斜面領域に被押圧部が露出するようにスイッチ部が設けられている、
ことを特徴とする携帯端末。
【請求項４】
端末本体の一端部として設けられ、ユーザが一方の手の母指を前記端末本体の第１の面に被せ前記端末本体の脇側から延ばした少なくとも示指と中指とで前記第１の面の裏面に位置する第２の面を支えるような把握態様で、前記一方の手により把握可能なグリップ部を備え、
前記グリップ部のうち前記第２の面には、前記把握態様とされるときに前記示指と前記中指とを頭頂部の両脇に添わせる形状の盛上り部が設けられ、
前記盛上り部における斜面領域であって前記把握態様での前記示指が位置する側の斜面領域に被押圧部が露出するようにスイッチ部が設けられている、
ことを特徴とする携帯端末。
【請求項５】
請求項１〜請求項４のいずれかに記載された携帯端末において、前記スイッチ部の前記被押圧部は、前記端末本体の前記斜面領域の表面に対して同一面または凹んだ位置に露出するように配置されていることを特徴とする携帯端末。
【請求項６】
請求項１〜請求項５のいずれかに記載された携帯端末において、前記グリップ部のうち前記第１の面には、前記把握態様のときに前記母指で操作可能な複数のキーが配列された入力操作部が設けられていることを特徴とする携帯端末。
【請求項７】
請求項１〜請求項６のいずれかに記載された携帯端末において、前記グリップ部の延長上に位置する前記端末本体の前記第１の面には、情報を表示する表示部が設けられていることを特徴とする携帯端末。
【請求項８】
請求項１〜請求項７のいずれかに記載された携帯端末において、前記グリップ部の延長上に位置する前記端末本体の前記第２の面には、情報を光学的に読み取る読取部が設けられていることを特徴とする携帯端末。
【請求項９】
請求項１〜請求項８のいずれかに記載された携帯端末において、前記グリップ部のうち、前記第２の面側には、電池蓋が取り付けられていることを特徴とする携帯端末。
【発明の詳細な説明】
【技術分野】
【０００１】
この発明は、手に持って使用する携帯端末に関する。
【背景技術】
【０００２】
例えば、手に持って使用する携帯端末においては、特許文献１に記載されているように、機器ケースの下面が湾曲形状に形成されていると共に、この機器ケースの下面に指掛突起部を設け、機器ケースの上面にユーザの保持手の母指を配置させ、機器ケースの下面に他の指を配置させて示指を指掛突起部に引っ掛けた状態で、機器ケースを片手で握るように構成されたものが知られている。
【先行技術文献】
【特許文献】
【０００３】
【特許文献１】特開平１０−１１２８９１号公報
【０００４】
すなわち、この種の携帯端末は、機器ケースの上面に設けられた操作部上に母指を配置させ、機器ケースの下面に他の指を配置させて機器ケースを片手で握った状態で、機器ケースの下面に設けられた指掛突起部に示指をピストルの引金に掛けるのと同じように引っ掛けることにより、母指で上面の操作部を操作すると共に、下面の指掛突起部に設けられたスイッチキーを示指でキー操作するように構成されている。
【発明の概要】
【発明が解決しようとする課題】
【０００５】
しかしながら、このような携帯端末では、ユーザが母指を機器ケースの上面に被せるように且つ機器ケースを脇から片手で掴むように機器ケースを保持するときに、機器ケースの縦方向と直交する幅方向の長さが、保持手の小指側から示指側に向けて徐々に長くなる形状であるため、ユーザが機器ケースを握りにくく、機器ケースを良好に握ることができないという不都合がある。
【０００６】
また、このような携帯端末では、指掛突起部に示指を引っ掛けた際に、示指によってスイッチキーが不用意に動作しないように軽く示指を指掛突起部に引っ掛ける必要があるため、機器ケースを片手で確実に握ることが難しいという不都合がある。
【０００７】
この発明が解決しようとする課題は、ユーザが片手で握り易く、かつ良好にスイッチ操作することができる携帯端末を提供することである。
【課題を解決するための手段】
【０００８】
この発明は、端末本体の一端部として設けられ、ユーザが一方の手の母指を前記端末本体の第１の面に被せ前記端末本体の脇側から延ばした少なくとも示指と中指とで前記第１の面の裏面に位置する第２の面を支えるような把握態様で、前記一方の手により把握可能なグリップ部を備え、前記グリップ部のうち前記第２の面には、前記把握態様での前記示指と前記中指との間の位置に頭頂部が位置するように、盛上り部が設けられ、前記盛上り部における斜面領域であって前記把握態様での前記示指が位置する側の斜面領域に被押圧部が露出するようにスイッチ部が設けられている、ことを特徴とする携帯端末である。
【０００９】
また、この発明は、端末本体の一端部として設けられ、ユーザが一方の手の母指を前記端末本体の第１の面に被せ前記端末本体の脇側から延ばした少なくとも示指と中指とで前記第１の面の裏面に位置する第２の面を支えるような把握態様で、前記一方の手により把握可能なグリップ部と、前記第２の面側であって前記グリップ部と前記端末本体の他端部との間に設けられたえぐれ部と、を備え、前記グリップ部は、前記把握態様のときに前記示指により支えられる位置が前記えぐれ部に向かう斜面領域となるように形成されているとともに、前記斜面領域に被押圧部が露出するようにスイッチ部が設けられている、ことを特徴とする携帯端末である。
【００１０】
また、この発明は、端末本体の一端部として設けられ、ユーザが一方の手の母指を前記端末本体の第１の面に被せ前記端末本体の脇側から延ばした少なくとも示指と中指とで前記第１の面の裏面に位置する第２の面に自然に巻き付くような把握態様で、前記ユーザの手により把握可能なグリップ部を備え、前記グリップ部のうち前記第２の面は、ユーザが前記グリップ部を前記把握態様で把握した際に、前記母指以外の指が自然な状態で曲がるように、前記第２の面側に向けて凸となる湾曲形状に形成され、前記湾曲形状に形成された前記グリップ部の前記第２の面には、ユーザが前記グリップ部を前記把握態様で把握した際に、前記ユーザが把握した手の前記示指と前記中指との間の位置に頭頂部が位置するように、盛上り部が設けられ、前記盛上り部における斜面領域であって前記把握態様での前記示指が位置する側の斜面領域に被押圧部が露出するようにスイッチ部が設けられている、ことを特徴とする携帯端末である。
【００１１】
さらに、この発明は、端末本体の一端部として設けられ、ユーザが一方の手の母指を前記端末本体の第１の面に被せ前記端末本体の脇側から延ばした少なくとも示指と中指とで前記第１の面の裏面に位置する第２の面を支えるような把握態様で、前記一方の手により把握可能なグリップ部を備え、前記グリップ部のうち前記第２の面には、前記把握態様とされるときに前記示指と前記中指とを頭頂部の両脇に添わせる形状の盛上り部が設けられ、前記盛上り部における斜面領域であって前記把握態様での前記示指が位置する側の斜面領域に被押圧部が露出するようにスイッチ部が設けられている、ことを特徴とする携帯端末である。
【発明の効果】
【００１２】
この発明によれば、ユーザが片手で握り易く、かつ良好にスイッチ操作することができる。
【図面の簡単な説明】
【００１３】
【図１】この発明を携帯端末に適用した一実施形態を示した正面図である。
【図２】図１に示された携帯端末の裏面図である。
【図３】図２に示された携帯端末を左側から見た側面図である。
【図４】図１に示された携帯端末を裏面側から見た斜視図である。
【図５】図４に示された携帯端末のＡ−Ａ矢視における断面を示した斜視図である。
【発明を実施するための形態】
【００１４】
以下、図１〜図５を参照して、この発明を適用した携帯端末の一実施形態について説明する。
この携帯端末は、図１〜図５に示すように、端末本体である機器ケース１を備えている。この機器ケース１は、縦方向（図１では上下方向）に長い縦長のほぼ長方形状に形成されている。
【００１５】
この機器ケース１は、図１〜図５に示すように、上辺側のほぼ半分が幅広部１ａに形成され、下辺側のほぼ半分が幅狭部１ｂに形成され、全体がほぼ羽子板形状に形成されている。すなわち、上辺側の幅広部１ａは、その縦方向と直交する横方向（図１では左右方向）の長さ（幅）が、下辺側の幅狭部１ｂの横方向（図１では左右方向）の長さ（幅）よりも長く（広く）形成されている。
【００１６】
また、この機器ケース１は、図１〜図５に示すように、上部ケース２と下部ケース３とを有し、これらの内部にモジュール（図示せず）が組み込まれるように構成されている。上部ケース２は、図１および図３に示すように、機器ケース１と同様、上辺側の幅広部と下辺側の幅狭部とを有するほぼ羽子板形状に形成され、その外周の側面部が下部ケース３に取り付けられるように構成されている。
【００１７】
この場合、上部ケース２の上面である表面における上辺側の幅広部には、図１および図５に示すように、そのほぼ全域に亘って表示部４が設けられている。また、上部ケース２の表面における下辺側の幅狭部には、そのほぼ全域に亘ってキー操作部５が設けられている。表示部４は、液晶表示パネルやＥＬ（エレクトロ・ルミネッセンス）表示パネルなどの平面型の表示パネルであり、ほぼ長方形状に形成されている。
【００１８】
この表示部４は、図１および図５に示すように、上部ケース２の表面に設けられた表示窓部４ａに対応した状態で上部ケース２内に配置され、表示された情報が表示窓部４ａを通して上部ケース２の上方から見えるように構成されている。キー操作部５は、テンキー、カーソルキー、ファンクションキーなどの携帯端末に必要な各種のキーを備えている。この場合、キー操作部５は、その上辺の中間部に上面トリガーキー５ａが配置されている。
【００１９】
下部ケース３は、図２〜図４に示すように、上部ケース２と同様、上辺側の幅広部と下辺側の幅狭部とを有するほぼ羽子板形状に形成され、その外周の側面部が上部ケース２に取り付けられるように構成されている。この下部ケース３の上辺部側に位置する幅広部の下面である裏面には、光学読取部６が設けられている。
【００２０】
この光学読取部６は、図２〜図５に示すように、レーザ読取部と撮像部（いずれも図示せず）とを備え、これらが下部ケース３の幅広部における上辺部側に位置する裏面に箱型形状に突出して設けられた読取突起部６ａ内に格納されている。この場合、読取突起部６ａには、レーザ読取部に対応する第１窓部６ｂと、撮像部に対応する第２窓部６ｃと、が設けられている。
【００２１】
これにより、光学読取部６は、図２〜図５に示すように、レーザ読取部がレーザ光線を読取突起部６ａの第１窓部６ｂから機器ケース１の外部に出射させ、そのレーザ光線の反射光を受光することにより、物品のバーコードなどを読み取るように構成されている。また、この光学読取部６は、撮像部が第２窓部６ｃを通してレーザ読取部で読み取る物品の画像を撮影するように構成されている。
【００２２】
また、機器ケース１の縦方向（長手方向）におけるほぼ中間部、つまり幅広部１ａと幅狭部１ｂとの境界部側に位置する幅広部１ａの両側部には、図１〜図５に示すように、側面トリガーキー８がそれぞれ設けられている。これら側面トリガーキー８およびキー操作部５の上面トリガーキー５ａは、光学読取部６による読取動作を実行させるためのものである。
【００２３】
さらに、この機器ケース１の下辺部側に位置する幅狭部１ｂには、図２〜図５に示すように、電池蓋１０で覆われる電池収納部１１がキー操作部５に対応して設けられている。この電池収納部１１は、充電池１２を収納するものであり、機器ケース１の幅狭部１ｂに設けられたキー操作部５に対応した状態で、機器ケース１の幅狭部１ｂの内部に設けられて裏面側に開放されている。
【００２４】
この場合、電池収納部１１と光学読取部６との間に位置する下部ケース３の裏面には、図２および図４に示すように、電池収納部１１を開閉可能に覆う電池蓋１０を下部ケース３に着脱可能に取り付けるための一対の取付レバー１３が設けられている。すなわち、一対の取付レバー１３は、機器ケース１の両側部に設けられた側面トリガーキー８の近傍に設けられている。これら一対の取付レバー１３は、これらを回転操作させて、電池蓋１０の上辺部の縁部を下部ケース３の裏面に係脱可能に係止させるように構成されている。
【００２５】
これにより、電池蓋１０は、図２、図４および図５に示すように、電池収納部１１を開閉可能に覆った状態で、上辺部の縁部が一対の取付レバー１３によって係止されることにより、下部ケース３の裏面に取り付けられるように構成されている。また、この電池蓋１０は、その下辺部側の端部に支点突起部１０ａが設けられ、この支点突起部１０ａを支点として回転することにより、電池収納部１１を開閉するように構成されている。
【００２６】
ところで、機器ケース１の下辺部側に位置する幅狭部１ｂには、図１〜図４に示すように、機器ケース１の第１の面である表面と、その反対側に位置する第２の面である裏面とに跨ってユーザの一方の手により把握可能なグリップ部１４が設けられている。このグリップ部１４は、ユーザの一方の手の母指Ｆ１を機器ケース１の表面に被せ機器ケース１の脇側から延ばした他の指Ｆ２〜Ｆ５で機器ケース１の裏面を支えるような把握態様で、ユーザの一方の手により把握可能に構成されている。
【００２７】
すなわち、このグリップ部１４は、図１〜図４に示すように、機器ケース１の幅狭部１ｂである上部ケース２の幅狭部と、下部ケース３の幅狭部と、下部ケース３の電池蓋１０と、で構成されている。この場合、グリップ部１４における上部ケース２の幅狭部と下部ケース３の幅狭部との各側面部は、ユーザがグリップ部１４を上述した把握態様で把握する手を自然に湾曲させる円弧状の湾曲面に形成されている。また、下部ケース３の電池蓋１０は、下部ケース３の両側部から裏面側に向けて緩やかに湾曲して突出する湾曲形状に形成されている。
【００２８】
これにより、グリップ部１４は、図１〜図４に示すように、ユーザがキー操作部５を母指Ｆ１で操作すべく、機器ケース１の表面にユーザが母指Ｆ１を被せ機器ケース１の脇側から延ばした他の指Ｆ２〜Ｆ５で機器ケース１の裏面を支えるような把握態様のときに、ユーザの他の指Ｆ２〜Ｆ５が機器ケース１の裏面に自然に曲がって巻き付くような形状に形成されている。
【００２９】
このため、グリップ部１４は、図１〜図４に示すように、ユーザがキー操作部５を母指Ｆ１で操作すべく、機器ケース１の表面にユーザが母指Ｆ１を被せ機器ケース１の脇側から延ばした他の指Ｆ２〜Ｆ５で機器ケース１の裏面を支えるような把握態様でユーザが一方の手で機器ケース１を保持した際に、ユーザの把握手がフィットすることにより、ユーザの手の大きさに係わらず、ユーザが片手で握り易い形状に形成されている。
【００３０】
また、このグリップ部１４のうち、裏面に位置する電池蓋１０には、図２〜図５に示すように、ユーザが母指Ｆ１を機器ケース１の表面に被せ機器ケース１の脇側から延ばした他の指Ｆ２〜Ｆ５で機器ケース１の裏面を支えるような把握態様でユーザが一方の手で機器ケース１を保持した際に、ユーザが把握する手の示指Ｆ２と中指Ｆ３との間に盛り上がる盛上り部１５が設けられている。
【００３１】
この場合、機器ケース１の裏面には、図２〜図５に示すように、えぐれ部１６がグリップ部１４とこのグリップ部１４の延長上に位置する機器ケース１の他端部側との間に窪んで設けられている。すなわち、このえぐれ部１６は、電池蓋１０の盛上り部１５と光学読取部６の読取突起部６ａとの間に窪んだ状態で設けられている。
【００３２】
これにより、えぐれ部１６は、図２〜図５に示すように、ユーザがキー操作部５を母指Ｆ１で操作すべく、ユーザが母指Ｆ１を機器ケース１の表面に被せ機器ケース１の脇側から延ばした他の指Ｆ２〜Ｆ５で機器ケース１の裏面を支えるような把握態様でユーザが一方の手でグリップ部１４を保持した際に、ユーザが把握する手の示指Ｆ２がグリップ部１４側に位置するえぐれ部１６の斜面に配置されるように構成されている。
【００３３】
この場合、盛上り部１５は、図２〜図５に示すように、ユーザがキー操作部５を母指Ｆ１で操作すべく、ユーザが母指Ｆ１を機器ケース１の脇側から延ばした他の指Ｆ２〜Ｆ５で機器ケース１の裏面を支えるような把握態様でユーザが一方の手でグリップ部１４を保持した際に、ユーザが把握する手の示指Ｆ２と中指Ｆ３との間に位置する山形状の頭頂部１５ａを有している。この頭頂部１５ａは、ユーザが把握する手の示指Ｆ２と中指Ｆ３との間に位置して、示指Ｆ２と中指Ｆ３との屈曲形状に沿って湾曲状に連続するように形成されている。
【００３４】
すなわち、この頭頂部１５ａは、図２〜図５に示すように、機器ケース１の長手方向と直交する横方向に示指Ｆ２と中指Ｆ３との屈曲形状に沿って湾曲状に連続すると共に、その連続する横方向における中間部が機器ケース１の裏面側に向けて最も大きく突出し、横方向の中間部から横方向の両側に向かうに従って次第に突出長さが小さくなるように形成されている。また、この盛上り部１５は、頭頂部１５ａを境にして、一方側の裾野である第１の指掛領域１７と、他方側の裾野である第２の指掛領域１８と、を備えている。
【００３５】
第１の指掛領域１７は、図２〜図５に示すように、ユーザが上述した把握態様でグリップ部１４を把握した際に、示指Ｆ２が押し当てられる斜面であり、電池蓋１０の上辺部側から頭頂部１５ａに向けて急な傾斜面に形成されている。第２の指掛領域１８は、ユーザが上述した把握態様でグリップ部１４を把握した際に、中指Ｆ３〜小指Ｆ５が押し当てられる斜面であり、頭頂部１５ａから電池蓋１０の下辺側に向けて緩やかに傾斜する傾斜面に形成されている。
【００３６】
すなわち、第１の指掛領域１７は、図２〜図５に示すように、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様のときに、ユーザが把握する手の示指Ｆ２の腹が、電池蓋１０の縦方向（長手方向）における下辺部側つまりユーザが把握する手側に向けて押し当てられて配置されるような傾斜面に形成されている。
【００３７】
この第１の指掛領域１７は、図２〜図５に示すように、グリップ部１４側に位置するえぐれ部１６の傾斜面であり、電池蓋１０の上辺側に位置する上辺側から頭頂部１５ａに向けて急な角度で立ち上る傾斜面に形成されている。また、この第１の指掛領域１７は、機器ケース１の縦方向（長手方向）と直交する横方向に連続する頭頂部１５ａに沿って示指Ｆ２の屈曲状態に対応する円弧状に湾曲して形成されている。
【００３８】
このため、この盛上り部１５は、図２〜図５に示すように、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１４を握った際に、ユーザの示指Ｆ２が第１の指掛領域１７の湾曲に沿って屈曲した形状で、その示指Ｆ２の腹が第１の指掛領域１７に押し当てられ、この状態で第１の指掛領域１７を機器ケース１の縦方向における下辺部側、つまりユーザが把握する手側に向けて引き寄せるように構成されている。
【００３９】
一方、第２の指掛領域１８は、図２〜図５に示すように、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１４を把握するときに、ユーザが把握する手の他の指Ｆ３〜Ｆ５の各腹がグリップ部１４の電池蓋１０を機器ケース１に向けて押し当てて、ユーザの中指Ｆ３〜小指Ｆ５が並んだ状態で自然に曲がるような湾曲面に形成されている。
【００４０】
すなわち、この第２の指掛領域１８は、図２〜図４に示すように、頭頂部１５ａから電池蓋１０の下辺側に向けて緩やかに傾斜する湾曲面に形成されている。これにより、この第２の指掛領域１８は、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１４を把握するときに、示指Ｆ２以外の指Ｆ３〜Ｆ５が並んで自然な状態で曲がるように、電池蓋１０の裏面側に向けて凸となる緩やかな湾曲形状に形成されている。
【００４１】
また、この第２の指掛領域１８には、図２〜図５に示すように、ユーザが把握する手の小指Ｆ５の位置を規制する指規制凸部１８ａが電池蓋１０の下辺部から機器ケース１の裏面における下辺部に亘って設けられている。すなわち、この指規制凸部１８ａは、電池蓋１０の下辺部から機器ケース１の下辺部に亘って緩やかに立ち上る傾斜面に形成されている。
【００４２】
これにより、指規制凸部１８ａは、図１〜図５に示すように、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１４を把握した状態で、母指Ｆ１が機器ケース１のキー操作部５をキー操作しているときに、ユーザが把握する手の小指Ｆ５の腹が配置されることにより、その小指Ｆ５がグリップ部１４から離脱しないように、小指Ｆ５の位置を規制するように構成されている。
【００４３】
さらに、この機器ケース１は、図１〜図５に示すように、グリップ部１４が機器ケース１の横方向における中心位置を軸にして左右対称な形状で形成されている。これにより、この機器ケース１は、ユーザがグリップ部１４を握る際に、ユーザが右手でも、また左手でも、同じように握れるように構成されている。
【００４４】
ところで、電池蓋１０の上辺部に設けられた盛上り部１５の第１の指掛領域１７は、図５に示すように、下部ケース３に設けられた蓋保持部２３の裏面に配置されて保持されるように構成されている。すなわち、この蓋保持部２３は、第１の指掛領域１７とほぼ同じ形状に盛り上がって形成されている。この蓋保持部２３の内部には、下面トリガーキー２０が第１の指掛領域１７に対応して設けられている。
【００４５】
この下面トリガーキー２０は、図５に示すように、キー操作部５の上面トリガーキー５ａおよび側面トリガーキー８と同様、光学読取部６による読取動作を実行させるためのものである。この下面トリガーキー２０は、スイッチ本体２０ａと操作釦２０ｂとスイッチ保持部２０ｃとを備えている。
【００４６】
すなわち、この下面トリガーキー２０のスイッチ保持部２０ｃは、図５に示すように、第１の指掛領域１７に対応する蓋保持部２３内に配置された状態で、蓋保持部２３の内面に取り付けられている。スイッチ本体２０ａは、第１の指掛領域１７の傾斜面と平行に傾斜した状態で、スイッチ保持部２０ｃに保持され、この状態で機器ケース１の幅広部１ａ内に設けられた回路基板２２と電気的に接続されるように構成されている。
【００４７】
操作釦２０ｂは、図５に示すように、被押圧部であり、第１の指掛領域１７の傾斜面と平行に傾斜した状態でスイッチ本体２０ａに配置され、蓋保持部２３に設けられた釦孔２３ａを通して、電池蓋１０の第１の指掛領域１７に設けられた釦挿入孔２１内に配置されている。これにより、操作釦２０ｂは、機器ケース１の外部から押圧操作された際に、スイッチ本体２０ａをオン動作させるように構成されている。この場合、操作釦２０ｂは、機器ケース１の外部に突出しない状態で第１の指掛領域１７の釦挿入孔２１内に配置されている。
【００４８】
このため、下面トリガーキー２０は、図５に示すように、ユーザが機器ケース１のグリップ部１４を片手で握った際に、ユーザが把握する手の示指Ｆ２が屈曲した形状で示指Ｆ２の腹が第１の指掛領域１７にその湾曲に沿って押し当てられ、この状態で盛上り部１５を機器ケース１の下辺部側つまりユーザが把握する手側に向けて引き寄せても、操作釦２０ｂが示指Ｆ２の腹で押し込まれることがなく、スイッチ本体２０ａがオン動作しないように構成されている。
【００４９】
また、この下面トリガーキー２０は、図５に示すように、ユーザが機器ケース１のグリップ部１４を片手で握り、ユーザが把握する手の示指Ｆ２が屈曲した形状で、その示指Ｆ２の腹が第１の指掛領域１７にその湾曲に沿って押し当てられた状態で、示指Ｆ２の腹が盛上り部１５を機器ケース１の下辺部側つまりユーザが把握する手側に向けて引き寄せられて、示指Ｆ２の腹が釦挿入孔２１に強く押し込まれると、操作釦２０ｂが示指Ｆ２の腹によって押し込まれてスイッチ本体２０ａがオン動作するように構成されている。
【００５０】
次に、このような携帯端末の作用について説明する。
この携帯端末を使用する場合には、まず、機器ケース１の裏面に電池蓋１０を取り付けて、機器ケース１の幅狭部１ｂに設けられた電池収納部１１を覆う。このときには、電池蓋１０の下辺部側の端部を電池収納部１１の下辺側の内周部に装着させ、この装着された電池蓋１０の端部の支点突起部１０ａを支点として、電池蓋１０を回転させて電池蓋１０の上辺部を下部ケース３の蓋保持部２３上に配置させる。
【００５１】
すると、電池蓋１０の第１の指掛領域１７に設けられた釦挿入孔２１が蓋保持部２３の釦孔２３ａに対応し、この釦孔２３ａを通して下面トリガーキー２０の被押圧部である操作釦２０ｂが電池蓋１０の第１の指掛領域１７に設けられた釦挿入孔２１に挿入される。この場合、操作釦２０ｂは、機器ケース１の外部に突出しない状態で第１の指掛領域１７の釦挿入孔２１内に配置される。
【００５２】
また、このときには、電池蓋１０の上辺部の縁部が、下部ケース３の裏面に設けられた一対の取付レバー１３に対応する。このため、これら一対の取付レバー１３を回転操作させることにより、一対の取付レバー１３によって電池蓋１０の上辺部の縁部が下部ケース３の裏面に押し付けられて係止される。これにより、電池蓋１０が、下面トリガーキー２０を超えた状態で、電池収納部１１を覆って下部ケース３の裏面に取り付けられる。
【００５３】
このような携帯端末を使用する場合には、電池蓋１０が位置する箇所のグリップ部１４をユーザが一方の手で握って機器ケース１を保持する。すなわち、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザが一方の手でグリップ部１４を把握する。
【００５４】
このときには、母指Ｆ１が機器ケース１の表面のキー操作部５上に配置され、ユーザが把握する手の示指Ｆ２と中指Ｆ３との間に盛上り部１５の頭頂部１５ａが配置され、この状態で示指Ｆ２の腹が機器ケース１の裏面側に位置する電池蓋１０の盛上り部１５における第１の指掛領域１７に押し当てられ、他の指Ｆ３〜Ｆ５の各腹が盛上り部１５の第２の指掛領域１８上に配置される。
【００５５】
この状態では、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザが把握する手の示指Ｆ２の腹を電池蓋１０の盛上り部１５における第１の指掛領域１７の傾斜面に押し当て、この状態で第１の指掛領域１７を盛上り部１５の下辺部側つまりユーザが把握する手側に向けて、その把握手の示指Ｆ２を引き寄せる。
【００５６】
この場合、示指Ｆ２の腹が電池蓋１０の盛上り部１５における第１の指掛領域１７の傾斜面に押し当てられ、機器ケース１の下辺部側つまりユーザが把握する手側に向けて引き寄せられると、示指Ｆ２が第１の指掛領域１７にその湾曲に沿って自然な状態で屈曲して押し当てられる。
【００５７】
このときには、ユーザが把握する手の示指Ｆ２が第１の指掛領域１７にその湾曲に沿って屈曲した形状で押し当てられても、示指Ｆ２の腹が第１の指掛領域１７の釦挿入孔２１に深く食い込むことがない。このため、操作釦２０ｂが示指Ｆ２の腹によって押し込まれることがないので、スイッチ本体２０ａがオン動作することがない。
【００５８】
また、このときには、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザが把握する手の他の指Ｆ３〜Ｆ５の各腹が盛上り部１５の第２の指掛領域１８上に押し当てられる。この状態では、指Ｆ３〜Ｆ５が第２の指掛領域１８の湾曲面に沿って自然に曲がった状態で並んで配置される。
【００５９】
これにより、ユーザが把握する手の示指Ｆ２と中指Ｆ３との間に、盛上り部１５の頭頂部１５ａが配置された状態で、中指Ｆ３〜小指Ｆ５が盛上り部１５の第２の指掛領域１８を包み込むように自然に曲がった状態で第２の指掛領域１８に並んで配置される。このため、指Ｆ３〜Ｆ５が第２の指掛領域１８にその湾曲面に沿って安定した状態で良好に配置される。これによって、ユーザが片手で機器ケース１のグリップ部１４を確実にかつ良好に把握することができる。
【００６０】
このように、ユーザが機器ケース１のグリップ部１４を握った際には、グリップ部１４が機器ケース１の幅狭部１ｂに設けられ、かつグリップ部１４の両側部から裏面側に向けて緩やかに湾曲して突出する湾曲形状に形成されていることにより、ユーザが把握する手で機器ケース１のグリップ部１４を確実にかつ良好に握ることができると共に、ユーザが把握する手をグリップ部１４にフィットさせることができる。
【００６１】
また、ユーザが機器ケース１のグリップ部１４を片手で握る際には、グリップ部１４が機器ケース１の横方向における中心位置を軸にして左右対称な形状に形成されていることにより、ユーザが右手でも、また左手でも、機器ケース１のグリップ部１４を確実にかつ良好に握ることができる。この場合にも、グリップ部１４の下面側が緩やかに湾曲して突出する湾曲形状に形成されていることにより、機器ケース１のグリップ部１４を片手で握った際に、ユーザの把握手がグリップ部１４にフィットする。
【００６２】
このようにユーザが機器ケース１のグリップ部１４を握った際には、母指Ｆ１が表示部４を遮ることなくキー操作部５上に配置されるので、表示部４に表示された情報を見ながら、母指Ｆ１をキー操作部５上において自由に移動させて、キー操作部５を良好にキー操作することができる。
【００６３】
このときには、電池蓋１０の下辺部から機器ケース１の裏面における下辺部に亘って設けられた指規制凸部１８ａによって、ユーザが把握する手の小指Ｆ５がグリップ部１４から脱落しないように、把握手の小指Ｆ５が位置規制される。このため、母指Ｆ１をキー操作部５上において自由に移動させて、キー操作部５をキー操作する際に、把握手の小指Ｆ５がグリップ部１４から脱落しないので、ユーザが良好にグリップ部１４を把握することができる。
【００６４】
また、ユーザが機器ケース１のグリップ部１４を握った際には、示指Ｆ２が盛上り部１５の第１の指掛領域１７の傾斜面、つまりグリップ部１４側に位置するえぐれ部１６の傾斜面に配置されるので、このえぐれ部１６の傾斜面である第１の指掛領域１７に設けられた釦挿入孔２１に挿入された下面トリガーキー２０の操作釦２０ｂを示指Ｆ２で容易に操作することができる。
【００６５】
すなわち、ユーザが機器ケース１のグリップ部１４を片手で握った際には、ユーザが把握する手の示指Ｆ２が屈曲した形状で、その示指Ｆ２の腹が第１の指掛領域１７にその湾曲に沿って押し当てられて、第１の指掛領域１７を機器ケース１の下辺部側つまりユーザが把握する手側に向けて引き寄せた状態で、示指Ｆ２の腹を釦挿入孔２１に強く押し込むと、下面トリガーキー２０の操作釦２０ｂが示指Ｆ２の腹によって押し込まれて、下面トリガーキー２０のスイッチ本体２０ａをオン動作させる。
【００６６】
このように、下面トリガーキー２０がオン動作すると、機器ケース１の幅広部１ａの裏面に設けられた光学読取部６が駆動されて、レーザ読取部がレーザ光線を読取突起部６ａの第１窓部６ｂから機器ケース１の外部に出射させ、そのレーザ光線の反射光を受光することにより、物品のバーコードなどを読み取る。また、このときには、光学読取部６の撮像部が第２窓部６ｃを通してレーザ読取部で読み取る物品の画像を撮影する。
【００６７】
また、このようにユーザが機器ケース１のグリップ部１４を片手で握って、下面トリガーキー２０がオン動作する際にも、電池蓋１０の下辺部から機器ケース１の裏面における下辺部に亘って設けられた指規制凸部１８ａによって、ユーザが把握する手の小指Ｆ５がグリップ部１４から脱落しないように、把握手の小指Ｆ５を位置規制することができる。
【００６８】
このため、ユーザがキー操作部５を母指Ｆ１でキー操作しながら下面トリガーキー２０を示指Ｆ２で操作する際には、ユーザがグリップ部１４を良好に把握した状態で、キー操作部５を良好にキー操作することができると共に、下面トリガーキー２０を良好に操作することができる。
【００６９】
このように、この携帯端末によれば、端末本体である機器ケース１の一端部として設けられ、ユーザが一方の手の母指Ｆ１を機器ケース１の表面に被せ機器ケース１の脇側から延ばした少なくとも示指Ｆ２と中指Ｆ３とで機器ケース１の裏面を支えるような把握態様で、一方の手により把握可能なグリップ部１４を備えているので、機器ケース１のグリップ部１４にユーザが把握する手を自然な形状の状態で配置させることができ、これによりユーザが把握する手をグリップ部１４に良好にフィットさせて把握することができる。
【００７０】
この場合、この携帯端末では、ユーザが母指Ｆ１を機器ケース１の表面に被せ機器ケース１の脇側から延ばした少なくとも示指Ｆ２と中指Ｆ３とで機器ケース１の裏面を支えるような把握態様で当該機器ケース１を把握するときに、ユーザが把握する手の示指Ｆ２と中指Ｆ３との間に頭頂部１５ａが位置するように、盛上り部１５が設けられているので、ユーザがグリップ部１４を把握する手の示指Ｆ２の腹を盛上り部１５の示指Ｆ２側に位置する斜面領域である第１の指掛領域１７に押し当てることができる。
【００７１】
このため、この携帯端末では、ユーザが把握する手の示指Ｆ２の腹を盛上り部１５の傾斜面である第１の指掛領域１７に、盛上り部１５における下辺部側つまりユーザが把握する手側に向けて、押し当てることができるので、示指Ｆ２を機器ケース１の下辺部側に位置するユーザの把握手側に向けて引き寄せることができ、これにより機器ケース１のグリップ部１４をユーザが確実にかつ良好に握って、機器ケース１を把握することができる。
【００７２】
また、この携帯端末では、ユーザが母指Ｆ１を機器ケース１の表面に被せ機器ケース１の脇側から延ばした少なくとも示指Ｆ２と中指Ｆ３とで機器ケース１の裏面を支えるような把握態様でユーザがグリップ部１４を把握したときに、ユーザが把握する手の示指Ｆ２によって操作可能な下面トリガーキー２０が盛上り部１５の斜面領域である第１の指掛領域１７に対応した状態で、機器ケース１の内部に設けられていることにより、ユーザが把握する手の示指Ｆ２によって下面トリガーキー２０を良好に操作することができる。
【００７３】
すなわち、この携帯端末では、下面トリガーキー２０が盛上り部１５の斜面領域である第１の指掛領域１７から被押圧部である操作釦２０ｂを露出させるように設けられているので、ユーザが母指Ｆ１を機器ケース１の表面に被せ機器ケース１の脇側から延ばした少なくとも示指Ｆ２と中指Ｆ３とで機器ケース１の裏面を支えるような把握態様でグリップ部１４を把握したときに、ユーザが把握する手の示指Ｆ２を下面トリガーキー２０に対応させて配置させることができ、この状態で下面トリガーキー２０を操作することができるので、下面トリガーキー２０の操作性を向上させることができる。
【００７４】
また、この携帯端末によれば、機器ケース１の裏面に位置するグリップ部１４とこれの延長上に位置する機器ケース１の他端部との間にえぐれ部１６が設けられ、ユーザが母指Ｆ１を機器ケース１の表面に被せ機器ケース１の脇側から延ばした少なくとも示指Ｆ２と中指Ｆ３とで機器ケース１の裏面を支えるような把握態様のときに、示指Ｆ２により支えられる位置がえぐれ部１６に向かう斜面である第１の指掛領域１７に形成されているので、ユーザが片手で握り易く、確実にかつ良好に機器ケース１を把握することができる。
【００７５】
すなわち、この携帯端末では、ユーザが母指Ｆ１を機器ケース１の表面に被せ機器ケース１の脇側から延ばした少なくとも示指Ｆ２と中指Ｆ３とで機器ケース１の裏面を支えるような把握態様でグリップ部１４を把握するときに、グリップ部１４側に位置するえぐれ部１６の斜面である第１の指掛領域１７に把握手の示指Ｆ２の腹をえぐれ部１６の下辺部側、つまりユーザが把握する手側に向けて押し当てることができる。
【００７６】
このため、この携帯端末では、ユーザが把握する手の示指Ｆ２をえぐれ部１６の下辺部側の第１の指掛領域１７に、ユーザが把握する手側に向けて押し当てることができるので、これによってもえぐれ部１６の下辺部側をユーザの把握手側に向けて引き寄せることができ、これにより機器ケース１のグリップ部１４をユーザが確実にかつ良好に握って、機器ケース１を把握することができる。
【００７７】
この場合、この携帯端末では、グリップ部１４側に位置するえぐれ部１６の斜面である第１の指掛領域１７に対応した状態で機器ケース１の内部に設けられ、ユーザが母指Ｆ１を機器ケース１の表面に被せ機器ケース１の脇側から延ばした少なくとも示指Ｆ２と中指Ｆ３とで機器ケース１の裏面を支えるような把握態様でグリップ部１４を把握したときに、ユーザが把握する手の示指Ｆ２によって操作可能な下面トリガーキー２０を備えていることにより、ユーザが機器ケース１のグリップ部１４を確実にかつ良好に把握した状態で、下面トリガーキー２０を良好に操作することができる。
【００７８】
また、この携帯端末によれば、機器ケース１の一端部に設けられたグリップ部１４のうちの裏面は、ユーザが母指Ｆ１を機器ケース１の表面に被せ機器ケース１の脇側から延ばした少なくとも示指Ｆ２と中指Ｆ３とで機器ケース１の裏面を支えるような把握態様で機器ケース１を把握するときに、母指Ｆ１以外の指Ｆ２〜Ｆ５が自然な状態で曲がるように、裏面側に向けて緩やかに突出する湾曲形状に形成されていることにより、ユーザが片手で握り易く、グリップ部１４を確実にかつ良好に把握することができる。
【００７９】
すなわち、この携帯端末では、機器ケース１の表面にユーザの母指Ｆ１が配置され、他の指Ｆ２〜Ｆ５が機器ケース１の脇側から延びて機器ケース１の裏面の湾曲形状に沿って自然に巻き付くので、ユーザの母指Ｆ１以外の指Ｆ２〜Ｆ５を自然な状態で曲げることができるので、ユーザが把握する手を機器ケース１のリップ部１４にフィットさせて配置させることができ、これによりユーザが片手で握り易く、グリップ部１４を確実にかつ良好に把握することができる。
【００８０】
この場合、この携帯端末では、湾曲形状に形成されたグリップ部１４の裏面に突出して設けられ、ユーザが母指Ｆ１を機器ケース１の表面に被せ機器ケース１の脇側から延ばした少なくとも示指Ｆ２と中指Ｆ３とで機器ケース１の裏面を支えるような把握態様でグリップ部１４を把握するときに、ユーザが把握する手の示指Ｆ２と中指Ｆ３との間に頭頂部１５ａが位置するように、盛上り部１５が設けられているので、ユーザが把握する手を機器ケース１のグリップ部１４にフィットさせて配置させた状態で、把握手の示指Ｆ２の腹を盛上り部１５の傾斜面である第１の指掛領域１７に押し当てることができる。
【００８１】
このため、この携帯端末では、ユーザが把握する手の示指Ｆ２の腹を盛上り部１５の傾斜面である第１の指掛領域１７に、盛上り部１５の下辺部側つまり把握手側に向けて押し当てた状態で、指掛領域１７を機器ケース１の下辺部側に位置するユーザの把握手側に向けて引き寄せることができるので、機器ケース１のグリップ部１４をユーザが確実にかつ良好に握って、機器ケース１を把握することができる。
【００８２】
また、この携帯端末では、グリップ部１４の裏面に、ユーザが母指Ｆ１を機器ケース１の表面に被せ機器ケース１の脇側から延ばした少なくとも示指Ｆ２と中指Ｆ３とで機器ケース１の裏面を支えるような把握態様でグリップ部１４を把握したときに、示指Ｆ２と中指Ｆ３とを頭頂部１５ａの両脇に添わせる形状の盛上り部１５が設けられていることにより、ユーザが把握する手を機器ケース１のグリップ部１４にフィットさせて配置させた状態で、把握手の示指Ｆ２の腹を盛上り部１５の傾斜面である第１の指掛領域１７に押し当てることができる。
【００８３】
また、この携帯端末では、グリップ部１４の表面に設けられ、ユーザが母指Ｆ１をグリップ部１４の表面に被せ機器ケース１の脇側から延ばした少なくとも示指Ｆ２と中指Ｆ３とで機器ケース１の裏面を支えるような把握態様でグリップ部１４を把握したときに、ユーザが把握する手の母指Ｆ１で操作可能な複数のキーが配列された入力操作部であるキー操作部５を備えていることにより、ユーザがグリップ部１４を握って機器ケース１を把握した状態で、把握手の母指Ｆ１によってキー操作部５を良好にキー操作することができ、これにより情報を良好に入力することができる。
【００８４】
また、この携帯端末では、グリップ部１４の延長上に位置する機器ケース１の表面に情報を表示する表示部４が設けられていることにより、ユーザが母指Ｆ１をグリップ部１４の表面に被せ機器ケース１の脇側から延ばした少なくとも示指Ｆ２と中指Ｆ３とで機器ケース１の裏面を支えるような把握態様でグリップ部１４を握った際に、母指Ｆ１が表示部４を遮ることなくキー操作部５上に配置されるので、表示部４に表示された情報を良好に見ることができると共に、この表示部４に表示された情報を見ながら、母指Ｆ１をキー操作部５上において自由に移動させて、キー操作部５を良好にキー操作することができる。
【００８５】
さらに、この携帯端末によれば、グリップ部１４の延長上に位置する機器ケース１の裏面に情報を光学的に読み取る光学読取部６が設けられていることにより、示指Ｆ２で下面トリガーキー２０を押圧させてオン動作させた際に、光学読取部６を駆動させてレーザ読取部によって物品のバーコードなどを良好に読み取ることができると共に、光学読取部６の撮像部によってレーザ読取部で読み取る物品の画像を良好に撮影することができる。
【００８６】
また、この携帯端末では、グリップ部１４の裏面側に電池蓋１０が取り付けられていることにより、盛上り部１５の第１の指掛領域１７および第２の指掛領域１８、第１の指掛領域１７であるえぐれ部１６の傾斜面を電池蓋１０に設けることができるので、盛上り部１５およびえぐれ部１６の傾斜面を電池蓋１０と共に容易に製作することができると共に、機器ケース１の形状が簡単なり、機器ケース１を容易に製作することができる。
【００８７】
なお、上述した実施形態では、機器ケース１の表面に表示部４とキー操作部５とを設けた場合について述べたが、この発明はこれに限らず、例えばキー操作部を透明なタッチパネルで形成して表示パネルを積層させた入力表示部であっても良い。
【００８８】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８９】
（付記）
請求項１に記載の発明は、端末本体の一端部として設けられ、ユーザが一方の手の母指を前記端末本体の第１の面に被せ前記端末本体の脇側から延ばした少なくとも示指と中指とで前記第１の面の裏面に位置する第２の面を支えるような把握態様で、前記一方の手により把握可能なグリップ部を備え、前記グリップ部のうち前記第２の面には、前記把握態様での前記示指と前記中指との間の位置に頭頂部が位置するように、盛上り部が設けられ、前記盛上り部における斜面領域であって前記把握態様での前記示指が位置する側の斜面領域に被押圧部が露出するようにスイッチ部が設けられている、ことを特徴とする携帯端末である。
【００９０】
請求項２に記載の発明は、端末本体の一端部として設けられ、ユーザが一方の手の母指を前記端末本体の第１の面に被せ前記端末本体の脇側から延ばした少なくとも示指と中指とで前記第１の面の裏面に位置する第２の面を支えるような把握態様で、前記一方の手により把握可能なグリップ部と、前記第２の面側であって前記グリップ部と前記端末本体の他端部との間に設けられたえぐれ部と、を備え、前記グリップ部は、前記把握態様のときに前記示指により支えられる位置が前記えぐれ部に向かう斜面領域となるように形成されているとともに、前記斜面領域に被押圧部が露出するようにスイッチ部が設けられている、ことを特徴とする携帯端末である。
【００９１】
請求項３に記載の発明は、端末本体の一端部として設けられ、ユーザが一方の手の母指を前記端末本体の第１の面に被せ前記端末本体の脇側から延ばした少なくとも示指と中指とで前記第１の面の裏面に位置する第２の面に自然に巻き付くような把握態様で、前記ユーザの手により把握可能なグリップ部を備え、前記グリップ部のうち前記第２の面は、ユーザが前記グリップ部を前記把握態様で把握した際に、前記母指以外の指が自然な状態で曲がるように、前記第２の面側に向けて凸となる湾曲形状に形成され、前記湾曲形状に形成された前記グリップ部の前記第２の面には、ユーザが前記グリップ部を前記把握態様で把握した際に、前記ユーザが把握した手の前記示指と前記中指との間の位置に頭頂部が位置するように、盛上り部が設けられ、前記盛上り部における斜面領域であって前記把握態様での前記示指が位置する側の斜面領域に被押圧部が露出するようにスイッチ部が設けられている、ことを特徴とする携帯端末である。
【００９２】
請求項４に記載の発明は、端末本体の一端部として設けられ、ユーザが一方の手の母指を前記端末本体の第１の面に被せ前記端末本体の脇側から延ばした少なくとも示指と中指とで前記第１の面の裏面に位置する第２の面を支えるような把握態様で、前記一方の手により把握可能なグリップ部を備え、前記グリップ部のうち前記第２の面には、前記把握態様とされるときに前記示指と前記中指とを頭頂部の両脇に添わせる形状の盛上り部が設けられ、前記盛上り部における斜面領域であって前記把握態様での前記示指が位置する側の斜面領域に被押圧部が露出するようにスイッチ部が設けられている、ことを特徴とする携帯端末である。
【００９３】
請求項５に記載の発明は、請求項１〜請求項４のいずれかに記載された携帯端末において、前記スイッチ部の前記被押圧部は、前記端末本体の前記斜面領域の表面に対して同一面または凹んだ位置に露出するように配置されていることを特徴とする携帯端末である。
【００９４】
請求項６に記載の発明は、請求項１〜請求項５のいずれかに記載された携帯端末において、前記グリップ部のうち前記第１の面には、前記把握態様のときに前記母指で操作可能な複数のキーが配列された入力操作部が設けられていることを特徴とする携帯端末である。
【００９５】
請求項７に記載の発明は、請求項１〜請求項６のいずれかに記載された携帯端末において、前記グリップ部の延長上に位置する前記端末本体の前記第１の面には、情報を表示する表示部が設けられていることを特徴とする携帯端末である。
【００９６】
請求項８に記載の発明は、請求項１〜請求項７のいずれかに記載された携帯端末において、前記グリップ部の延長上に位置する前記端末本体の前記第２の面には、情報を光学的に読み取る読取部が設けられていることを特徴とする携帯端末である。
【００９７】
請求項９に記載の発明は、請求項１〜請求項８のいずれかに記載された携帯端末において、前記グリップ部のうち、前記第２の面側には、電池蓋が取り付けられていることを特徴とする携帯端末である。
【符号の説明】
【００９８】
１  機器ケース
２  上部ケース
３  下部ケース
４  表示部
５  キー操作部
６  光学読取部
１０  電池蓋
１１  電池収納部
１４  グリップ部
１５  盛上り部
１５ａ  頭頂部
１６  えぐれ部
１７  第１の指掛領域
１８  第２の指掛領域
２０  下面トリガーキー
２０ａ  スイッチ本体
２０ｂ  操作釦
２０ｃ  スイッチ保持部
２１  釦挿入孔
２３  蓋保持部
２３ａ  釦孔
【図１】
2019021212.tif 000003
【図２】
2019021212.tif 000004
【図３】
2019021212.tif 000005
【図４】
2019021212.tif 000006
【図５】
2019021212.tif 000007